(57)【要約】ＩＰ電話機及び携帯電話機の通信を効率よく融合させて、電話通信サービスの向上を図る。接続制御部（３１）は、携帯電話機（２０ｒ）との接続インタフェース制御を行い、接続した携帯電話機（２０ｒ）の携帯電話番号を読み取る。電話接続情報通知部（３２）は、識別情報と、携帯電話機（２０ｒ）が接続していれば携帯電話番号とを含む電話接続情報を通知する。電話接続情報格納管理部（４１）は、通知された電話接続情報を格納管理する。通信制御部（４２）は、発呼側ＩＰ電話機（１０）から携帯電話機（２０ｒ）へ発呼要求があったとき、電話接続情報にもとづき、相手の携帯電話機（２０ｒ）が被発呼側ＩＰ電話機（３０）に接続されていると判断した場合は、ＩＰ電話機（１０）、（３０）同士で通信を行うために、被発呼側ＩＰ電話機（３０）に対して呼処理を行う。
2004023769.tif 000002
【特許請求の範囲】
【請求項１】
ネットワークを介して音声通信を行う通信システムにおいて、
発呼側ＩＰ電話機と、
携帯電話機との接続インタフェース制御を行い、接続した携帯電話機の携帯電話番号を読み取る接続制御部と、識別情報と、携帯電話機が接続していれば前記携帯電話番号とを含む電話接続情報を通知する電話接続情報通知部と、から構成される被発呼側ＩＰ電話機と、
通知された前記電話接続情報を格納管理する電話接続情報格納管理部と、前記発呼側ＩＰ電話機から携帯電話機へ発呼要求があったとき、前記電話接続情報にもとづき、相手の携帯電話機が前記被発呼側ＩＰ電話機に接続されていると判断した場合は、ＩＰ電話機同士で通信を行うために、前記被発呼側ＩＰ電話機に対して呼処理を行う通信制御部と、から構成される音声制御サーバと、
を有することを特徴とする通信システム。
【請求項２】
前記音声制御サーバは、前記電話接続情報を前記発呼側ＩＰ電話機へ通知し、前記発呼側ＩＰ電話機は、通知された情報をユーザに表示することを特徴とする請求の範囲第１項記載の通信システム。
【請求項３】
前記接続制御部は、接続インタフェース制御として、無線インタフェースで携帯電話機と接続することを特徴とする請求の範囲第１項記載の通信システム。
【請求項４】
ネットワークを介して音声通信を行うＩＰ電話機において、
携帯電話機との接続インタフェース制御を行い、接続した携帯電話機の携帯電話番号を読み取る接続制御部と、
識別情報と、携帯電話機が接続していれば前記携帯電話番号とを含む電話接続情報を通知する電話接続情報通知部と、
を有することを特徴とするＩＰ電話機。
【請求項５】
ネットワークを介して音声の通信制御を行う音声制御サーバにおいて、
ＩＰ電話機から通知された電話接続情報を格納管理する電話接続情報格納管理部と、
発呼側ＩＰ電話機から携帯電話機へ発呼要求があったとき、前記電話接続情報にもとづき、相手の携帯電話機が被発呼側ＩＰ電話機に接続されていると判断した場合は、ＩＰ電話機同士で通信を行うために、前記被発呼側ＩＰ電話機に対して呼処理を行う通信制御部と、
を有することを特徴とする音声制御サーバ。
【請求項６】
ネットワークを介して音声通信を行う通信システムにおいて、
携帯電話機との接続インタフェース制御を行う発呼側接続制御部と、非接続通知を受信した場合には、携帯電話機同士で通信を行うために、自己と接続している携帯電話機との音声インタフェース制御を行う音声インタフェース制御部と、から構成される発呼側ＩＰ電話機と、
携帯電話機との接続インタフェース制御を行い、接続した携帯電話機の携帯電話番号を読み取る被発呼側接続制御部と、識別情報と、携帯電話機が接続していれば前記携帯電話番号とを含む電話接続情報を通知する電話接続情報通知部と、から構成される被発呼側ＩＰ電話機と、
通知された前記電話接続情報を格納管理する電話接続情報格納管理部と、前記発呼側ＩＰ電話機から携帯電話機へ発呼要求があったとき、前記電話接続情報にもとづき、相手の携帯電話機が前記被発呼側ＩＰ電話機に接続されていないと判断した場合は、前記非接続通知を前記発呼側ＩＰ電話機へ送信する通信制御部と、から構成される音声制御サーバと、
を有することを特徴とする通信システム。
【請求項７】
前記音声制御サーバは、前記電話接続情報を前記発呼側ＩＰ電話機へ通知し、前記発呼側ＩＰ電話機は、通知された情報をユーザに表示することを特徴とする請求の範囲第６項記載の通信システム。
【請求項８】
前記発呼側接続制御部及び前記被発呼側接続制御部は、接続インタフェース制御として、無線インタフェースで携帯電話機と接続することを特徴とする請求の範囲第６項記載の通信システム。
【請求項９】
前記発呼側ＩＰ電話機は、接続している携帯電話機を使用して、自律的に発呼するか否かの設定機能を有し、設定された情報を前記音声制御サーバへ通知し、発呼許可がされていれば前記発呼側ＩＰ電話機から発呼し、発呼許可されていなければ前記音声制御サーバから発呼処理を行うことを特徴とする請求の範囲第６項記載の通信システム。
【請求項１０】
前記発呼側接続制御部は、複数の携帯電話機との接続インタフェースを有し、前記音声インタフェース制御部は、非接続通知を受信した際、複数の携帯電話機が接続している場合には、１台の携帯電話機を任意に選択して、音声インタフェース制御を行うことを特徴とする請求の範囲第６項記載の通信システム。
【請求項１１】
ネットワークを介して音声通信を行うＩＰ電話機において、
携帯電話機との接続インタフェース制御を行い、接続した携帯電話機の携帯電話番号を読み取る接続制御部と、
識別情報と、携帯電話機が接続していれば前記携帯電話番号とを含む電話接続情報を通知する電話接続情報通知部と、
相手側の携帯電話機がＩＰ電話機に接続されていない旨の非接続通知を受信した場合には、携帯電話機同士で通信を行うために、自己と接続している携帯電話機との音声インタフェース制御を行う音声インタフェース制御部と、
を有することを特徴とするＩＰ電話機。
【請求項１２】
ネットワークを介して音声の通信制御を行う音声制御サーバにおいて、
ＩＰ電話機から通知された電話接続情報を格納管理する電話接続情報格納管理部と、
発呼側ＩＰ電話機から携帯電話機へ発呼要求があったとき、前記電話接続情報にもとづき、相手の携帯電話機が被発呼側ＩＰ電話機に接続されていないと判断した場合は、非接続通知を前記発呼側ＩＰ電話機へ送信する通信制御部と、
を有することを特徴とする音声制御サーバ。
【請求項１３】
ネットワークを介して電話の音声通信を行う電話通信方法において、
携帯電話機との接続インタフェース制御を行い、接続した携帯電話機の携帯電話番号を読み取り、
識別情報と、携帯電話機が接続していれば前記携帯電話番号とを含む電話接続情報を通知し、
通知された前記電話接続情報を格納管理し、
前記発呼側ＩＰ電話機から携帯電話機へ発呼要求があったとき、前記電話接続情報にもとづき、相手の携帯電話機が前記被発呼側ＩＰ電話機に接続されていると判断した場合は、前記被発呼側ＩＰ電話機に対して呼処理を行って、ＩＰ電話機同士で通信を行うことを特徴とする電話通信方法。
【請求項１４】
ネットワークを介して電話の音声通信を行う電話通信方法において、
携帯電話機との接続インタフェース制御を行い、接続した携帯電話機の携帯電話番号を読み取り、
識別情報と、携帯電話機が接続していれば前記携帯電話番号とを含む電話接続情報を通知し、
通知された前記電話接続情報を格納管理し、
発呼側ＩＰ電話機から携帯電話機へ発呼要求があったとき、前記電話接続情報にもとづき、相手の携帯電話機が被発呼側ＩＰ電話機に接続されていないと判断した場合は、非接続通知を前記発呼側ＩＰ電話機へ送信し、
前記非接続通知を受信した場合には、自己と接続している携帯電話機との音声インタフェース制御を行って、携帯電話機同士で通信を行うことを特徴とする電話通信方法。
【発明の詳細な説明】
【技術分野】  本発明は通信システムに関し、特にネットワークを介して音声の通信を行う通信システムに関する。
【背景技術】  近年、ｘＤＳＬやケーブルインターネット、光ファイバ、無線等によるアクセス回線のブロードバンド化、ネットワーク関連機器などの高機能化が進むと共に、その普及も加速しており、ＩＰ（Ｉｎｔｅｒｎｅｔ  Ｐｒｏｔｏｃｏｌ）ネットワーク上で様々なアプリケーションやサービスが提供されるようになってきた。
特に、音声をＩＰで伝送するＶｏＩＰ（Ｖｏｉｃｅ  ｏｖｅｒ  ＩＰ）技術を利用して、音声電話をＩＰネットワーク上で提供するＩＰ電話（インターネット電話）のサービスが実用化されてきている。ＩＰ電話は、既存の電話と比較して安い通話料で実現が可能であるため、今後のネットワーク技術の発展に伴って、ますます普及が進むものと考えられる。
今後、ＩＰ電話サービスの普及が進むと、ＩＰ電話サービスと携帯電話サービスの両方を利用する人が増えることが予想される。例えば、企業においては、全事業所を網羅した企業内のＩＰ電話システムが構築される一方で、社員は個人連絡用の携帯電話機を持って、各事業所を移動して作業するといったケースが多くなる。
一方、従来のインターネット電話の技術として、着呼側のインターネット電話がインターネットにダイアルアップ設定されていなくても自動的に着信させるものがある。例えば、特開２００１−１７７６６３号公報（段落番号〔００２５〕〜〔００２８〕，第１図）参照。
しかし、上記のようなＩＰ電話機と携帯電話機の両方を利用できる環境に対し、電話をかける人は、電話を受ける相手がＩＰ電話機の近くにいるかどうかはわからないことがほとんどである。したがって、発呼側のＩＰ電話機から、着信相手が近くにいると思われる被発呼側のＩＰ電話機へ電話し、もし相手がそのＩＰ電話機付近にいなかった場合、あらためて相手の携帯電話機へ電話をかけ直すことになり、時間と手間がかかってしまう。
一方、従来、ＩＰ電話システムのＩＰ電話網と携帯電話機の移動電話網は、それぞれ独立した通信網であるため、ＩＰ電話機から携帯電話機への発呼についてはサービスが提供されることは少なかった。また、サービスが提供される場合でも、ＩＰネットワークと移動電話網を接続するゲートウェイ経由で携帯電話機へ発呼していた。
このような従来の接続形態を利用して、初めからＩＰ電話機で相手の携帯電話機へ電話する場合でも、もし相手がＩＰ電話機の近くにいたら、ＩＰ電話機から携帯電話機への通話は、ＩＰ電話機同士で通話するよりも通話料が高いために無駄となってしまう（なお、ＩＰ電話機と携帯電話機間の通話料は、携帯電話機同士の通話料よりも高い）。
このように、発信者は相手がどこにいるかがわからなければ（相手がＩＰ電話機の近くにいるか否かがわからなければ）、ＩＰ電話機と携帯電話機の両方が使える環境であっても、双方の電話機を効率よく使用することができないといった問題があった。
また、上述した従来技術は、インターネット電話のダイアルアップ接続に関連したものであり、ＩＰ電話機と携帯電話機との適切な融合制御について考慮されたものではない。
【発明の開示】
本発明はこのような点に鑑みてなされたものであり、ＩＰ電話機及び携帯電話機の通信を効率よく融合させて、電話通信サービスの向上を図った通信システムを提供することを目的とする。
本発明では上記課題を解決するために、図１に示すような、ＩＰネットワークＮ１を介して音声通信を行う通信システム１において、発呼側ＩＰ電話機１０と、携帯電話機２０ｒとの接続インタフェース制御を行い、接続した携帯電話機２０ｒの携帯電話番号を読み取る接続制御部３１と、識別情報と、携帯電話機２０ｒが接続していれば携帯電話番号とを含む電話接続情報を通知する電話接続情報通知部３２と、から構成される被発呼側ＩＰ電話機３０と、通知された電話接続情報を格納管理する電話接続情報格納管理部４１と、発呼側ＩＰ電話機１０から携帯電話機２０ｒへ発呼要求があったとき、電話接続情報にもとづき、相手の携帯電話機２０ｒが被発呼側ＩＰ電話機３０に接続されていると判断した場合は、ＩＰ電話機１０、３０同士で通信を行うために、被発呼側ＩＰ電話機３０に対して呼処理を行う通信制御部４２と、から構成される音声制御サーバ４０と、を有することを特徴とする通信システム１が提供される。
ここで、接続制御部３１は、携帯電話機２０ｒとの接続インタフェース制御を行い、接続した携帯電話機２０ｒの携帯電話番号を読み取る。電話接続情報通知部３２は、識別情報と、携帯電話機２０ｒが接続していれば携帯電話番号とを含む電話接続情報を通知する。電話接続情報格納管理部４１は、通知された電話接続情報を格納管理する。通信制御部４２は、発呼側ＩＰ電話機１０から携帯電話機２０ｒへ発呼要求があったとき、電話接続情報にもとづき、相手の携帯電話機２０ｒが被発呼側ＩＰ電話機３０に接続されていると判断した場合は、ＩＰ電話機１０、３０同士で通信を行うために、被発呼側ＩＰ電話機３０に対して呼処理を行う。
本発明の上記および他の目的、特徴および利点は本発明の例として好ましい実施の形態を表す添付の図面と関連した以下の説明により明らかになるであろう。
【図面の簡単な説明】  図１は、本発明の通信システムの原理図である。
図２は、被発呼側ＩＰ電話機の構成を示す図である。
図３は、携帯電話機の接続動作を示す図である。
図４は、携帯電話機の接続動作シーケンスを示す図である。
図５は、通話動作を示す図である。
図６は、通話動作シーケンスを示す図である。
図７は、通話動作シーケンスを示す図である。
図８は、本発明の通信システムの原理図である。
図９は、発呼側ＩＰ電話機の構成を示す図である。
図１０は、携帯電話機の発呼動作を示す図である。
図１１は、携帯電話機の発呼動作シーケンスを示す図である。
図１２は、携帯電話機の発呼動作シーケンスを示す図である。
【発明を実施するための最良の形態】  以下、本発明の実施の形態を図面を参照して説明する。図１は本発明の通信システムの原理図である。通信システム１は、発呼側ＩＰ電話機１０、携帯電話機２０ｒが接続可能な被発呼側ＩＰ電話機３０、音声制御サーバ４０から構成され、ＩＰネットワークＮ１を介して音声通信を行うシステムである。なお、発呼側ＩＰ電話機１０と被発呼側ＩＰ電話機３０は、実際には互いに同じ本発明の機能を持つものである。
被発呼側ＩＰ電話機３０は、接続制御部３１と電話接続情報通知部３２から構成される。接続制御部３１は、携帯電話機２０ｒとの接続インタフェース制御を行い、携帯電話機２０ｒが接続すると、携帯電話機２０ｒの携帯電話番号を読み取る。
電話接続情報通知部３２は、電話接続情報を音声制御サーバ４０へ通知する。電話接続情報は、識別情報と、さらに携帯電話機２０ｒが接続していれば、読み取った携帯電話番号が含まれる。なお、識別情報とは、ＩＰアドレス及び電話番号（ＩＰ電話番号）のことである。または、音声制御サーバ４０がＩＰアドレスから電話番号への変換処理を行う場合は、電話番号は必ずしも含まなくてよい（すなわち、音声制御サーバ４０で変換処理を行う場合は、ＩＰ電話機からのＩＰ電話番号の通知は不要）。
音声制御サーバ４０は、電話接続情報格納管理部４１と通信制御部４２から構成される。電話接続情報格納管理部４１は、ＩＰネットワークＮ１に接続しているＩＰ電話機から通知された電話接続情報を格納管理する。
通信制御部４２は、発呼側ＩＰ電話機１０から携帯電話機２０ｒへ発呼要求があったとき、電話接続情報にもとづき、相手の携帯電話機２０ｒが被発呼側ＩＰ電話機３０に接続されているか否かを判断する。
携帯電話機２０ｒが被発呼側ＩＰ電話機３０と接続していると判断した場合には、被発呼側ＩＰ電話機３０に対して呼処理を行って、発呼側ＩＰ電話機１０と被発呼側ＩＰ電話機３０間の通話を可能とする。
なお、音声制御サーバ４０は、ＩＰ電話通信として、ＭＧＣＰ（Ｍｅｄｉａ  Ｇａｔｅｗａｙ  Ｃｏｎｔｒｏｌ  Ｐｒｏｔｏｃｏｌ）プロトコルを用いる場合はコールエージェント、Ｈ．３２３プロトコルを用いる場合は、ゲートキーパに該当する。いずれも呼処理の詳細手順が異なるだけで、本発明は両方に適用できるので、以降では音声制御サーバ４０をコールエージェント４０として説明する（したがって、以降では、発呼側ＩＰ電話機１０、コールエージェント４０、被発呼側ＩＰ電話機３０間のシーケンスは、ＭＧＣＰプロトコルをベースとする）。
このように、本発明の通信システム１では、発呼側ＩＰ電話機１０から相手の携帯電話機２０ｒへ発呼したとき、着信相手が自分の携帯電話機２０ｒを被発呼側ＩＰ電話機３０に接続している場合には、携帯電話機２０ｒが接続されている被発呼側ＩＰ電話機３０へ着信させ、ＩＰ電話機同士での通話（ＩＰネットワークＮ１上での音声通信）を可能にするものである。
ここで、本発明で対象とするＩＰ電話の定義について説明する。本発明でいうＩＰ電話は、ネットワークの一部または全部においてＩＰネットワーク技術を利用して提供する音声電話サービスのことで、ＩＰネットワークとしてインターネットを利用するインターネット電話の上位の概念とし、インターネット電話はＩＰ電話に包含されるものとする。
また、本発明のＩＰ電話機は、以下の（１）〜（４）のすべての形態を含むものとする。
（１）ＩＰネットワーク（なお、アクセスネットワークを一旦経由してＩＰネットワークへ接続する場合も含む）に接続したパソコンにスピーカまたはイヤホン等とマイクを付けたもの。通常はＩＰ電話のソフトウェアを動作させる。
（２）ＩＰネットワークに接続した専用アダプタ（ルータ含む）に通常の一般電話機を接続したもの。
（３）ＩＰネットワークに接続したパソコンに専用アダプタを接続し、このアダプタを介して一般電話機を接続したもの。
（４）ＩＰネットワークに接続できる専用のＩＰ電話機端末。
次に被発呼側ＩＰ電話機３０の詳細構成について説明する（発呼側ＩＰ電話機１０の構成も同様である）。図２は被発呼側ＩＰ電話機３０の構成を示す図である。被発呼側ＩＰ電話機３０は、ＩＰ電話機制御部３０−１、制御信号送信部３０−２ａ、制御信号受信部３０−２ｂ、制御パケット送信部３０−３ａ、制御パケット受信部３０−３ｂ、音声入力部３３ａ、音声Ａ／Ｄ変換部３３ｂ、音声コード部３３ｃ、ＩＰパケット化部３３ｄ、音声出力部３４ａ、音声Ｄ／Ａ変換部３４ｂ、音声デコード部３４ｃ、ＩＰデパケット化部３４ｄ、オンフック／オフフック検出部３５、ダイアル検出部３６、携帯接続部３７から構成される。
音声入力部３３ａは、ユーザの音声を入力する。音声Ａ／Ｄ変換部３３ｂは、音声入力部３３ａからのアナログ音声信号をデジタル音声信号へ変換する。音声コード部３３ｃは、音声Ａ／Ｄ変換部３３ｂからのデジタル音声信号をコード化（符号化）する。
ＩＰパケット化部３３ｄは、音声コード部３３ｃでコード化されたデータをＩＰパケット化し、ＩＰネットワークＮ１へ出力する（ＶｏＩＰパケットの送出）。なお、アクセスネットワークを経由してＩＰネットワークＮ１へ接続する場合は、被発呼側ＩＰ電話機３０内にアクセスネットワークとのインタフェース部が必要であるがここの例では省略する。
音声出力部３４ａは、音声Ｄ／Ａ変換部３４ｂからのアナログ音声信号を出力する。また、ＩＰ電話機制御部３０−１からの指示で、発信音、呼出音、リンギング信号を出力する。音声Ｄ／Ａ変換部３４ｂは、音声デコード部３４ｃでデコードされたデジタル音声信号をアナログ音声信号へ変換する。
音声デコード部３４ｃは、ＩＰデパケット化部３４ｄからのデータをデコード化（復号化）する。ＩＰデパケット化部３４ｄは、ＩＰネットワークＮ１からのＶｏＩＰパケットを受信し、データを取り出す。
制御パケット送信部３０−３ａは、コールエージェント４０や他のＩＰ電話機等と通信するため、ＩＰネットワークＮ１へ制御パケット（ＶｏＩＰパケット以外のパケット）を送信する。制御パケット受信部３０−３ｂは、コールエージェント４０や他のＩＰ電話機と通信するため、ＩＰネットワークＮ１から制御パケットを受信する。
オンフック／オフフック検出部３５は、ユーザがオンフックまたはオフフックを行ったことを検出し、検出結果をＩＰ電話機制御部３０−１へ通知する。ダイアル検出部３６は、ユーザがダイアルした番号を検出し、検出結果をＩＰ電話機制御部３０−１へ通知する。また、ＩＰ電話機制御部３０−１は、被発呼側ＩＰ電話機３０内各部の検出情報を受信し、また各部に動作を指示することによって、被発呼側ＩＰ電話機３０の全体動作を制御する。
制御信号送信部３０−２ａは、ＩＰ電話機制御部３０−１からの上り制御信号を上りシリアル信号へ変換し、携帯接続部３７を介して、携帯電話機２０ｒへ送信する。制御信号受信部３０−２ｂは、携帯接続部３７を介して、携帯電話機２０ｒからの下りシリアル信号を受信し、下り制御信号としてＩＰ電話機制御部３０−１へ伝える。
なお、ＩＰ電話機制御部３０−１、制御信号送信部３０−２ａ、制御信号受信部３０−２ｂ、制御パケット送信部３０−３ａは、これらが互いに関連して制御することにより、本発明の接続制御部３１と電話接続情報通知部３２の機能を実現する。
すなわち、携帯電話機２０ｒの接続有無の検出及び携帯電話番号の読み取りは、ＩＰ電話機制御部３０−１が制御信号送信部３０−２ａ及び制御信号受信部３０−２ｂを使用して行う。また、電話接続情報をコールエージェント４０へ通知する際には、ＩＰ電話機制御部３０−１が制御パケット送信部３０−３ａを使用して行う。
また、被発呼側ＩＰ電話機３０と携帯電話機２０ｒとの接続インタフェースである携帯接続部３７は、現在のＰＤＣ（Ｐｅｒｓｏｎａｌ  Ｄｉｇｉｔａｌ  Ｃｅｌｌｕｌａｒ）及びＣＤＭＡ（Ｃｏｄｅ  Ｄｉｖｉｓｉｏｎ  Ｍｕｌｔｉｐｌｅ  Ａｃｃｅｓｓ）方式の携帯電話機の１６芯携帯電話インタフェースを想定している。
次に被発呼側ＩＰ電話機３０に対する携帯電話機２０ｒの接続動作について図３、図４を用いて説明する。図３は携帯電話機２０ｒの接続動作を示す図である。ＩＰネットワークＮ１には、発呼側ＩＰ電話機１０とコールエージェント４０と被発呼側ＩＰ電話機３０が接続し、ＩＰネットワークＮ１と移動電話網Ｎ２はゲートウェイＧＷを介して接続する。また、携帯電話機２０ｒは、被発呼側ＩＰ電話機３０に接続している。なお、発信側の操作者をユーザＡ、着信側の操作者をユーザＢとする。
発呼側ＩＰ電話機１０のＩＰアドレスをｍｍｍｍ、電話番号（ＩＰ電話番号）をｘｘｘｘとし、被発呼側ＩＰ電話機３０のＩＰアドレスをｎｎｎｎ、ＩＰ電話番号をｙｙｙｙとし、携帯電話機２０ｒの携帯電話番号をｔｔｔｔとする。
コールエージェント４０は、被発呼側ＩＰ電話機３０から通知された電話接続情報を、電話接続情報格納管理部４１内の管理テーブルＴに登録する。管理テーブルＴは、ＩＰアドレス、ＩＰ電話番号、接続状態、携帯電話番号の項目からなる。テーブル中例えば、ＩＰアドレスがｎｎｎｎでＩＰ電話番号がｙｙｙｙの被発呼側ＩＰ電話機３０に携帯電話番号がｔｔｔｔの携帯電話機２０ｒが接続されていることが示されている。
図４は携帯電話機２０ｒの接続動作シーケンスを示す図である。
〔Ｓ１〕ユーザＢが自分の携帯電話機２０ｒを自分の近くにあるＩＰ電話機３０（被発呼側ＩＰ電話機３０）に接続する。
〔Ｓ２〕ＩＰ電話機３０は、接続制御部３１を介して携帯電話機の接続有無を常に監視しており、携帯電話機２０ｒが接続されると、その携帯電話番号ｔｔｔｔを読み取る。
〔Ｓ３〕ＩＰ電話機３０の電話接続情報通知部３２は、読み取った携帯電話番号ｔｔｔｔを、自身のＩＰアドレスｎｎｎｎ及びＩＰ電話番号ｙｙｙｙと共にコールエージェント４０へ通知する。なお、ここでは、ＩＰ電話番号ｙｙｙｙをコールエージェント４０へ通知しているが、上述したように、コールエージェント４０がＩＰアドレスからＩＰ電話番号の変換処理を行う場合には、ＩＰ電話番号ｙｙｙｙの通知は不要である。
〔Ｓ４〕コールエージェント４０は、電話接続情報格納管理部４１の管理テーブルＴ１に、ＩＰ電話機３０のＩＰアドレスｎｎｎｎ及びＩＰ電話番号ｙｙｙｙと対応させて、携帯電話番号ｔｔｔｔを登録する。
なお、図３、図４に示す説明では、携帯電話機２０ｒの取り外しについては記述していないが、ＩＰ電話機３０は、携帯電話機２０ｒの接続有無を常に監視しており、携帯電話機２０ｒを取り外すと、状態の変化を検出して、携帯電話機２０ｒが取り外されたことを、自身のＩＰアドレス及びＩＰ電話番号と共にコールエージェント４０へ通知する。そして、コールエージェント４０は、通知を受け取ると、管理テーブルＴに携帯電話機２０ｒが接続されていないことを登録することになる。
次に携帯電話機２０ｒが接続された状態で、通話を行う動作について図５〜図７を用いて説明する。図５は通話動作を示す図であり、図６、図７は通話動作シーケンスを示す図である。なお、図５に示す全体構成は図３と同じである。今、ユーザＡが、ＩＰ電話機１０（発呼側ＩＰ電話機１０）から、ユーザＢの携帯電話機２０ｒへ発呼する。
〔Ｓ１１〕ユーザＡは、ＩＰ電話機１０をオフフックする。
〔Ｓ１２〕ＩＰ電話機１０は、コールエージェント４０へオフフック通知を送信する。
〔Ｓ１３〕コールエージェント４０は、ＩＰ電話機１０へ発信音指示を送る。
〔Ｓ１４〕ＩＰ電話機１０は、発信音を出力する。
〔Ｓ１５〕ユーザＡは、携帯電話機２０ｒの携帯電話番号ｔｔｔｔをダイアルする。
〔Ｓ１６〕ＩＰ電話機１０は、コールエージェント４０へ呼設定要求を送信する。
〔Ｓ１７〕コールエージェント４０は、管理テーブルＴに携帯電話番号ｔｔｔｔが登録されているか否かを検索し、ＩＰアドレスｎｎｎｎ、ＩＰ電話番号ｙｙｙｙであるＩＰ電話機３０と接続されていることを知る。
〔Ｓ１８〕コールエージェント４０は、ＩＰ電話機１０に対して、携帯電話機２０ｒが接続されているＩＰ電話機３０のＩＰアドレスｎｎｎｎとＩＰ電話番号ｙｙｙｙを通知する。
〔Ｓ１９〕ＩＰ電話機１０は、ＩＰ電話機３０へ相手先ＩＰ電話番号ｙｙｙｙを通知する。
〔Ｓ２０〕コールエージェント４０は、ＩＰ電話機１０へ呼出音指示を送信する。
〔Ｓ２１〕ＩＰ電話機１０は、呼出音を出力する。
〔Ｓ２２〕コールエージェント４０は、ＩＰ電話機３０へリンギング信号指示を送信する。
〔Ｓ２３〕ＩＰ電話機３０は、リンギング信号を出力する。
〔Ｓ２４〕ユーザＢは、ＩＰ電話機３０をオフフックする。
〔Ｓ２５〕ＩＰ電話機３０は、コールエージェント４０へオフフック通知を送信する。
〔Ｓ２６〕ユーザＡとユーザＢは、それぞれＩＰ電話機１０とＩＰ電話機３０を使用して通話する（通話以降の終話シーケンスについては省略する）。
このような動作シーケンスにより、ＩＰ電話機１０から相手の携帯電話機２０ｒへ発呼したとき、電話する相手がＩＰ電話機３０に携帯電話機２０ｒを接続してあるならば、携帯電話機２０ｒが接続しているＩＰ電話機３０へ着信させて、ＩＰ電話機同士での通話を実現する。なお、上述の通話シーケンスと通常のＭＧＣＰプロトコルとの大きな違いは、コールエージェント４０が行うステップＳ１７、ステップＳ１８の個所である。
一方、ＩＰ電話機１０にディスプレイ等の表示部を備え、ステップＳ１８でコールエージェント４０が通知してきた情報をディスプレイに表示させてもよい。このような表示部を持つことにより、相手の携帯電話機の接続有無や接続されているＩＰ電話番号が表示されることになり、非常に有用である。
次に本発明の他の実施の形態について説明する。図１〜図７で上述した本発明の通信システム１は、発呼側ＩＰ電話機１０から相手の携帯電話機２０ｒに発呼したとき、被発呼側ＩＰ電話機３０に携帯電話機２０ｒが接続されている場合には、被発呼側ＩＰ電話機３０へ着信させるものであった。
一方、以降で説明する実施の形態では、発呼側ＩＰ電話機１０から相手の携帯電話機２０ｒに発呼したとき、携帯電話機２０ｒが被発呼側ＩＰ電話機３０に接続されていない場合には、発呼側ＩＰ電話機１０に接続している携帯電話機から相手の携帯電話機２０ｒへ着信させるものである。
図８は本発明の通信システムの原理図である。本発明の通信システム１ａは、携帯電話機２０ｓが接続可能な発呼側ＩＰ電話機１０、携帯電話機２０ｒが接続可能な被発呼側ＩＰ電話機３０、コールエージェント４０から構成されて、ＩＰネットワークＮ１を介して互いに接続する。また、ＩＰネットワークＮ１と移動電話網Ｎ２は、ゲートウェイＧＷを介して接続し、通信システム１ａは移動電話網Ｎ２を介して音声通信を行うシステムである。
発呼側ＩＰ電話機１０は、発呼側接続制御部１１（以下、単に接続制御部１１）と音声インタフェース制御部１２から構成される。接続制御部１１は、携帯電話機２０ｓとの接続インタフェース制御を行う（上述した接続制御部３１と同様な機能を持つ）。
音声インタフェース制御部１２は、コールエージェント４０から後述する非接続通知を受信した場合には、携帯電話機２０ｓ、２０ｒ同士で通信を行うために、自己（発呼側ＩＰ電話機１０）と接続している携帯電話機２０ｓとの音声インタフェース制御を行って、携帯電話機２０ｓから相手側の携帯電話機２０ｒへ発呼させる。
被発呼側ＩＰ電話機３０は、図１と同様の構成を持つ（被発呼側接続制御部３１は単に接続制御部３１と呼ぶ）。コールエージェント４０は、図１と同様の構成を持つ。
ただし、通信制御部４２は、発呼側ＩＰ電話機１０から携帯電話機２０ｒへ発呼要求があったとき、電話接続情報にもとづき、相手の携帯電話機２０ｒが被発呼側ＩＰ電話機３０に接続されていないと判断した場合は、接続していない旨の非接続通知を発呼側ＩＰ電話機３０へ送信する。そして、コールエージェント４０を介しての呼処理は中止する。
このように、本発明の通信システム１ａでは、発呼側ＩＰ電話機１０から相手の携帯電話機２０ｒへ発呼したとき、着信相手が自分の携帯電話機２０ｒを被発呼側ＩＰ電話機３０に接続していない場合には、発呼側ＩＰ電話機１０に接続されている携帯電話機２０ｓから携帯電話機２０ｒへ着信させ、携帯電話機同士での通話（移動電話網Ｎ２上での音声通信）を可能にするものである。
次に発呼側ＩＰ電話機１０の詳細構成について説明する（被発呼側ＩＰ電話機３０の構成も同様である）。図９は発呼側ＩＰ電話機１０の構成を示す図である。発呼側ＩＰ電話機１０は、図２で上述したＩＰ電話機の構成に対して、セレクタＳＥＬ１、上り音声インタフェース変換部１０−４ａ、セレクタＳＥＬ２、下り音声インタフェース変換部１０−４ｂが追加したものになっている。さらに、携帯接続部１７は、上り／下りシリアル信号の他に送信／受信音声信号のインタフェース部分を持っている。その他の構成は同じなので（ただし、符号は１０番台の符号にしてある）、追加構成要素のみ説明する。
セレクタＳＥＬ１は、音声入力信号の送信先を選択して、音声Ａ／Ｄ変換部１３ｂまたは上り音声インタフェース変換部１０−４ａのどちらか一方へ音声入力信号を送信する。この選択は、ＩＰ電話機制御部１０−１によって制御される。通常のＩＰ電話機として動作するときは、音声Ａ／Ｄ変換部１３ｂ側が選択されるが、携帯電話機２０ｓを使って発呼・通話を行う時は、上り音声インタフェース変換部１０−４ａ側が選択される。上り音声インタフェース変換部１０−４ａは、音声入力信号を携帯電話機２０ｓの送信音声信号に変換する。
セレクタＳＥＬ２は、音声出力の受信先を選択する。この選択は、ＩＰ電話機制御部１０−１によって制御される。通常のＩＰ電話機として動作するときは、音声Ｄ／Ａ変換部１４ｂ側が選択されるが、携帯電話機２０ｓを使って発呼・通話を行う時は、下り音声インタフェース変換部１０−４ｂ側が選択される。下り音声インタフェース変換部１０−４ｂは、携帯電話機２０ｓの受信音声信号を音声出力部１４ａへ出力できるように信号変換する。
なお、ＩＰ電話機制御部１０−１、制御信号送信部１０−２ａ、制御信号受信部１０−２ｂ、上り音声インタフェース変換部１０−４ａ、下り音声インタフェース変換部１０−４ｂ、セレクタＳＥＬ１、ＳＥＬ２は、これらが互いに関連して制御することにより、本発明の発呼側接続制御部１１と音声インタフェース制御部１２の機能を実現する。
このような構成により、発呼側ＩＰ電話機１０は、ＩＰ電話機としての受話・送話信号を、携帯電話機２０ｓの受話・送話信号と相互に変換し、音声入出力部１３ａ、１４ａによって、携帯電話機２０ｓの送受話を可能としている（すなわち、発呼側ＩＰ電話機１０に携帯電話機２０ｓを接続すれば、例えば、ユーザは、発呼側ＩＰ電話機１０のハンドセットを持ったまま、携帯電話機２０Ｓを介して、相手の携帯電話機２０ｒと通話できるということ）。なお、携帯電話機２０ｓの動作制御は、ＩＰ電話機制御部１０−１が制御信号送信部１０−２ａ及び制御信号受信部１０−２ｂを使用して行う。
次に発呼側ＩＰ電話機１０に接続された携帯電話機２０ｓによる発呼動作について図１０〜図１２を用いて説明する。図１０は携帯電話機２０ｓの発呼動作を示す図である。なお、図１０に示す全体構成は図８と同じである。また、コールエージェント４０の電話接続情報格納管理部４１内の管理テーブルＴでは、ＩＰアドレスがｍｍｍｍでＩＰ電話番号がｘｘｘｘの発呼側ＩＰ電話機１０に携帯電話番号がｓｓｓｓの携帯電話機２０ｓが接続されていることが示されている。
図１１、図１２は携帯電話機２０ｓの発呼動作シーケンスを示す図である。
〔Ｓ３１〕ユーザＡは、ＩＰ電話機１０をオフフックする。
〔Ｓ３２〕ＩＰ電話機１０は、コールエージェント４０へオフフック通知を送信する。
〔Ｓ３３〕コールエージェント４０は、ＩＰ電話機１０へ発信音指示を送信する。
〔Ｓ３４〕ＩＰ電話機１０は、発信音を出力する。
〔Ｓ３５〕ユーザＡは、携帯電話機２０ｒの携帯電話番号ｔｔｔｔをダイアルする。
〔Ｓ３６〕ＩＰ電話機１０は、コールエージェント４０へ呼設定要求を送信する。
〔Ｓ３７〕コールエージェント４０は、管理テーブルＴに携帯電話番号ｔｔｔｔが登録されているか否かを検索し、どこにも登録されていないことを知る。同時に、管理テーブルＴによって、発呼してきたＩＰ電話機１０に携帯電話機２０ｓが接続されていることを知る。
〔Ｓ３８〕コールエージェント４０は、ＩＰ電話機１０に対して、携帯電話機２０ｒがどのＩＰ電話機にも接続されていないことを通知する。なお、コールエージェント４０はこの時点で呼処理を終了する。
〔Ｓ３９〕ステップＳ３８の通知を受けたＩＰ電話機１０は、自分自身に接続された携帯電話機２０ｓを制御し、携帯電話番号ｔｔｔｔへ発呼するよう制御する。
〔Ｓ４０〕携帯電話機２０ｓは携帯電話機２０ｒへ発呼する（移動電話網Ｎ２が使用される）。
〔Ｓ４１〕ユーザＢは携帯電話機２０ｒをオフフックし、ユーザＡとユーザＢは通話可能となる。ここで、ユーザＡは携帯電話機２０ｓに持ち替えることなく、ＩＰ電話機１０の音声入力部１３ａ、音声出力部１４ａを使用して通話を行う（実際に通話に使用されているのは携帯電話機２０ｓである）。なお、通話以降の終話シーケンスについては省略する。
このような動作シーケンスにより、ＩＰ電話機１０から相手の携帯電話機２０ｒへ発呼したとき、電話する相手がＩＰ電話機３０に携帯電話機２０ｒを接続してないならば（コールエージェント４０から携帯電話機２０ｒがＩＰ電話機３０に接続されていないことが通知されると）、ＩＰ電話機１０に接続された携帯電話機２０ｓを使用し、携帯電話機２０ｒへ着信させて、携帯電話機同士での通話を実現する。
なお、上記では、発呼側ＩＰ電話機１０に接続している携帯電話機２０ｓを使用して、発呼側ＩＰ電話機１０が自律的に発呼・通話を行っているが、携帯電話機２０ｓを使用して発呼することを許可するか否かを発呼側ＩＰ電話機１０に設定できる設定機能を設けてもよい。そして、この場合、設定情報もコールエージェント４０へ通知され、発呼許可がなされていれば上述のような動作が行われ、発呼が許可されていないならばコールエージェント４０側から発呼処理を行って、携帯電話機２０ｓ、２０ｒ間の通話を可能にするような構成にしてもよい。
次にＩＰ電話機１０に対しても携帯電話機２０ｓが接続されていない場合の動作について説明する。コールエージェント４０がＩＰ電話機１０に対して、携帯電話機２０ｒがどのＩＰ電話機にも接続されていないことを通知し、ＩＰ電話機１０にも携帯電話機２０ｓが接続されていない場合は、コールエージェント４０は、携帯電話機２０ｒに対して、ゲートウェイＧＷを用いて、ＩＰネットワークＮ１から移動電話網Ｎ２に接続することで、携帯電話機２０ｒへ発呼する（従来技術となる）。
次にＩＰ電話機に対して複数台の携帯電話機を接続した場合について説明する。上記ではＩＰ電話機に１台の携帯電話機を接続した際の動作について説明したが、複数台接続した場合でも基本動作は同じである。ただし、通信システム１ａで、発呼側ＩＰ電話機１０に複数の携帯電話機が接続する場合には、発呼側ＩＰ電話機１０内の音声インタフェース制御部１２は、複数の携帯電話機から任意の１台を選択して発呼制御することになる。
また、上記ではＩＰ電話機と携帯電話機の接続インタフェースは、図中有線で示したが（ＰＤＣ及びＣＤＭＡ方式の携帯電話機の１６芯インタフェースとしたが）、Ｂｌｕｅｔｏｏｔｈ等の無線インタフェースを用いることも可能である。
以上説明したように、本発明によれば、ＩＰ電話機から相手の携帯電話機へ発呼した際、着信相手が自分の携帯電話機をＩＰ電話機に接続している場合には、携帯電話機を接続したＩＰ電話機の方へ着信させることにより、ＩＰ電話機同士での通話を可能とし、通話料を安く済むようにする。
したがって、携帯電話機をＩＰ電話機に接続しておけば、その携帯電話機への電話は、接続したＩＰ電話機にかかるので、発信側は着信相手がどこにいるかを意識せずに相手の携帯電話機へ電話すればよい。また、着信側も自分の側のＩＰ電話機へ電話がかかってくるので非常に便利である。
さらに、着信相手がＩＰ電話機に携帯電話を接続していない場合（ＩＰ電話機の近くにおらず、携帯電話機を携帯している場合）、コールエージェントから被発呼携帯電話機がＩＰ電話機に接続されていないことが通知されると、発呼側のＩＰ電話機が自身に接続された携帯電話機を使用して、被発呼側の携帯電話機へ発呼し、携帯電話同士の通話ができるようにする。これにより、携帯電話機同士の通話となるため、ＩＰ電話機から携帯電話への通話と比べて通話料を安くすることができる。
なお、上記では、ＭＧＣＰプロトコルにもとづいて、本発明の動作シーケンスを説明したが、Ｈ．３２３プロトコルに本発明を適用してもよい。この場合、コールエージェントの代わりにゲートキーパが置かれ、ゲートキーパにより呼処理が行われることになる。
以上説明したように、本発明の通信システムは、発呼側ＩＰ電話機と、携帯電話機と接続して電話接続情報を通知する機能を持つ被発呼側ＩＰ電話機と、音声制御サーバとから構成され、音声制御サーバは、発呼側電話機から携帯電話機へ発呼要求があったとき、電話接続情報にもとづき、相手の携帯電話機が被発呼側ＩＰ電話機に接続されていると判断した場合には、被発呼側ＩＰ電話機に対して呼処理を行う構成とした。これにより、携帯電話機をＩＰ電話機に接続しておけば、その携帯電話機への電話は、接続したＩＰ電話機にかかるので、発信者は着信相手がどこにいるか意識せずに相手の携帯電話機へ電話すればよく、ＩＰ電話機間の通話となるので通話料が安くなり、電話通信サービスの向上を図ることが可能になる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【図１】
2004023769.tif 000003
【図２】
2004023769.tif 000004
【図３】
2004023769.tif 000005
【図４】
2004023769.tif 000006
【図５】
2004023769.tif 000007
【図６】
2004023769.tif 000008
【図７】
2004023769.tif 000009
【図８】
2004023769.tif 000010
【図９】
2004023769.tif 000011
【図１０】
2004023769.tif 000012
【図１１】
2004023769.tif 000013
【図１２】
2004023769.tif 000014
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
ネットワークを介して音声通信を行う通信システムにおいて、
発呼側ＩＰ電話機と、
携帯電話機との接続インタフェース制御を行い、接続した携帯電話機の携帯電話番号を読み取る接続制御部と、識別情報と、携帯電話機が接続していれば前記携帯電話番号とを含む電話接続情報を通知する電話接続情報通知部と、から構成される被発呼側ＩＰ電話機と、
通知された前記電話接続情報を格納管理する電話接続情報格納管理部と、前記発呼側ＩＰ電話機から携帯電話機へ発呼要求があったとき、前記電話接続情報にもとづき、相手の携帯電話機が前記被発呼側ＩＰ電話機に接続されていると判断した場合は、ＩＰ電話機同士で通信を行うために、前記被発呼側ＩＰ電話機に対して呼処理を行う通信制御部と、から構成される音声制御サーバと、
を有することを特徴とする通信システム。
【請求項２】
前記音声制御サーバは、前記電話接続情報を前記発呼側ＩＰ電話機へ通知し、前記発呼側ＩＰ電話機は、通知された情報をユーザに表示することを特徴とする請求項１記載の通信システム。
【請求項３】
ネットワークを介して音声通信を行う通信システムにおいて、
携帯電話機との接続インタフェース制御を行う発呼側接続制御部と、非接続通知を受信した場合には、携帯電話機同士で通信を行うために、自己と接続している携帯電話機との音声インタフェース制御を行う音声インタフェース制御部と、から構成される発呼側ＩＰ電話機と、
携帯電話機との接続インタフェース制御を行い、接続した携帯電話機の携帯電話番号を読み取る被発呼側接続制御部と、識別情報と、携帯電話機が接続していれば前記携帯電話番号とを含む電話接続情報を通知する電話接続情報通知部と、から構成される被発呼側ＩＰ電話機と、
通知された前記電話接続情報を格納管理する電話接続情報格納管理部と、前記発呼側ＩＰ電話機から携帯電話機へ発呼要求があったとき、前記電話接続情報にもとづき、相手の携帯電話機が前記被発呼側ＩＰ電話機に接続されていないと判断した場合は、前記非接続通知を前記発呼側ＩＰ電話機へ送信する通信制御部と、から構成される音声制御サーバと、
を有することを特徴とする通信システム。
【請求項４】
前記音声制御サーバは、前記電話接続情報を前記発呼側ＩＰ電話機へ通知し、前記発呼側ＩＰ電話機は、通知された情報をユーザに表示することを特徴とする請求項３記載の通信システム。
【請求項５】
前記発呼側ＩＰ電話機は、接続している携帯電話機を使用して、自律的に発呼するか否かの設定機能を有し、設定された情報を前記音声制御サーバへ通知し、発呼許可がされていれば前記発呼側ＩＰ電話機から発呼し、発呼許可されていなければ前記音声制御サーバから発呼処理を行うことを特徴とする請求項３記載の通信システム。
【国際調査報告】
2004023769.tif 000015
2004023769.tif 000016
2004023769.tif 000017
2004023769.tif 000018